【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
画像を表す画像光を射出して画像を表示する画像表示装置であって、
光源と、
供給電力と光量との関係を示す電力／光量特性に基づいて前記光源への供給電力を制御する光源制御部と、
前記光源から射出される光を利用して、前記画像光を射出する画像光射出部と、
前記光源から射出される光の光量を測定する光量測定部と、
前記光量測定部による光量測定値に基づいて前記電力／光量特性を導出する電力／光量特性導出部と、
を備え、
前記光源制御部は、前記光源への供給電力が、あらかじめ定められた使用を予定する電力の範囲のうちの一部の複数の電力に順に変化するように制御し、
前記光量測定部は、前記複数の電力ごとの光量を測定し、
前記電力／光量特性導出部は、前記複数の電力ごとの光量測定値に基づいて、前記使用を予定する電力の範囲における前記電力／光量特性を導出する
ことを特徴とする画像表示装置。
【請求項２】
請求項１に記載の画像表示装置であって、
前記複数の電力のうち、最大電力は前記光源を間欠点灯させる電力であり、前記最大電力以外の少なくとも一部の電力は前記光源を連続点灯させる電力であり、
前記光源制御部は、前記供給電力を前記最大電力とした場合には、前記供給電力が前記間欠点灯に対応する間欠供給となるように制御し、
前記光量測定部は、前記最大電力の間欠供給による間欠点灯時における光量の測定を行い、測定した光量測定値を連続点灯時に想定される光量に換算する
ことを特徴とする画像表示装置。
【請求項３】
請求項１または請求項２に記載の画像表示装置であって、
少なくとも、前記光源の温度を測定する温度測定部を備え、
前記光量測定部は、前記温度測定部による温度測定値に基づいて光量測定値を補正する
ことを特徴とする画像表示装置。
【請求項４】
請求項１から請求項３までのいずれか一項に記載の画像表示装置であって、
複数の前記光源を備え、
前記光量測定部は、それぞれの光源から射出される光量を測定し、
前記光源制御部は、それぞれの光源から射出される光の光量がバランスするように、それぞれの供給電力を調整し、
前記複数の電力のうち、最大電力は前記光源を間欠点灯させる電力であり、前記最大電力以外の少なくとも一部の電力は前記光源を連続点灯させる電力であり、
前記供給電力のバランス調整量は、前記最大電力以外の電力のうちの最大電力における光量測定値に基づいて設定される
ことを特徴とする画像表示装置。
【請求項５】
プロジェクターであって、
光源と、
供給電力と光量との関係を示す電力／光量特性に基づいて前記光源への供給電力を制御する光源制御部と、
前記光源から射出される光を変調する光変調部と、
前記光変調部で変調された光を投写する投写光学系と、
前記光源から射出される光の光量を測定する光量測定部と、
前記光量測定部による光量測定値に基づいて前記電力／光量特性を導出する電力／光量特性導出部と、
を備え、
前記光源制御部は、前記光源への供給電力が、あらかじめ定められた使用を予定する電力の範囲のうちの一部の複数の電力に順に変化するように制御し、
前記光量測定部は、前記複数の電力ごとの光量を測定し、
前記電力／光量特性導出部は、前記複数の電力ごとの光量測定値に基づいて、前記使用を予定する電力の範囲における前記電力／光量特性を導出する
ことを特徴とするプロジェクター。
【請求項６】
請求項５に記載のプロジェクターであって、
前記複数の電力のうち、最大電力は前記光源を間欠点灯させる電力であり、前記最大電力以外の少なくとも一部の電力は前記光源を連続点灯させる電力であり、
前記光源制御部は、前記供給電力を前記最大電力とした場合には、前記供給電力が前記間欠点灯に対応する間欠供給となるように制御し、
前記光量測定部は、前記最大電力の間欠供給による間欠点灯時における光量の測定を行い、測定した光量測定値を連続点灯時に想定される光量に換算する
ことを特徴とするプロジェクター。
【請求項７】
請求項５または請求項６に記載のプロジェクターであって、
少なくとも、前記光源の温度を測定する温度測定部を備え、
前記光量測定部は、前記温度測定部による温度測定値に基づいて光量測定値を補正する
ことを特徴とするプロジェクター。
【請求項８】
請求項５から請求項７までのいずれか一項に記載のプロジェクターであって、
複数の前記光源を備え、
前記光量測定部は、それぞれの光源から射出される光量を測定し、
前記光源制御部は、それぞれの光源から射出される光の光量がバランスするように、それぞれの供給電力を調整し、
前記複数の電力のうち、最大電力は前記光源を間欠点灯させる電力であり、前記最大電力以外の少なくとも一部の電力は前記光源を連続点灯させる電力であり、
前記供給電力のバランス調整量は、前記最大電力以外の電力のうちの最大電力における光量測定値に基づいて設定される
ことを特徴とするプロジェクター。
【請求項９】
画像を表す画像光を射出して画像を表示する画像表示装置において、前記光源から射出される光の光量を、供給電力と光量との関係を示す電力／光量特性に基づいて前記光源への供給電力を調整することにより制御するための前記電力／光量特性を導出する制御方法であって、
前記画像表示装置は、
光源と、
前記電力／光量特性に基づいて前記光源への供給電力を制御する光源制御部と、
前記光源から射出される光の光量を測定する光量測定部と、
前記光量測定部による光量測定値に基づいて前記電力／光量特性を導出する電力／光量特性導出部と、
を備え、
前記光源制御部において、前記光源への供給電力が、あらかじめ定められた使用を予定する電力の範囲のうちの一部の複数の電力に順に変化するように制御し、
前記光量測定部において、前記複数の電力ごとの光量を測定し、
前記電力／光量特性導出部において、前記複数の電力ごとの光量測定値に基づいて、前記使用を予定する電力の範囲における前記電力／光量特性を導出する
ことを特徴とする制御方法。
【手続補正２】
【補正対象書類名】明細書
【補正対象項目名】００５２
【補正方法】変更
【補正の内容】
【００５２】
また、青色光用の反射型液晶パネル４Ｂの放熱フィン３３Ｂには、導光光学系３Ｂ及び反射型液晶パネル４Ｂを含む光学部材配置領域の温度状態を把握するために、Ｂ光用パネル温度センサー３３ＢＴが設けられている。同様に、赤色光用の反射型液晶パネル４Ｒの放熱フィン３３Ｒには、導光光学系３Ｒ及び反射型液晶パネル４Ｒを含む光学部材配置領域の温度状態を把握するために、Ｒ光用パネル温度センサー３３ＲＴが設けられている。温度センサーとしてはサーミスタが適用される。ただし、温度センサーとしてはサーミスタに限定されるものではなく、種々の一般的な温度センサーを用いることができる。
【手続補正３】
【補正対象書類名】明細書
【補正対象項目名】００６６
【補正方法】変更
【補正の内容】
【００６６】
励起用レーザーダイオード駆動部６８は、ＰＷＭＹ信号の波形に基づいた励起用レーザーダイオード６２のＯＮ／ＯＦＦ制御を行う。なお、励起用レーザーダイオード駆動部６８は、励起用デューティー値ＤｕｔｙＹが１００％の場合には、励起用レーザーダイオード６２のＯＮ／ＯＦＦ制御を行わず、励起用駆動電流値ＣＹで定電流駆動を行う。また、青色レーザーダイオード駆動部６９は、ＰＷＭＢ信号の波形に基づいた青色レーザーダイオード５９のＯＮ／ＯＦＦ制御を行う。なお、青色レーザーダイオード駆動部６９は、青色デューティー値ＤｕｔｙＢが１００％の場合には、青色レーザーダイオード５９のＯＮ／ＯＦＦ制御を行わず、青用駆動電流値ＣＢで定電流駆動を行なう。
【手続補正４】
【補正対象書類名】明細書
【補正対象項目名】００６９
【補正方法】変更
【補正の内容】
【００６９】
光源確認部６５ｃが光源初期状態確認処理あるいは光源変化状態確認処理を実行する際に、光量測定部６５ｄおよび温度測定部６５ｅは、以下のように動作する。すなわち、光量測定部６５ｄは、光検出部７２の赤色光用光センサー３６Ｒにより検出される赤色光の光強度に基づく光量を測定するとともに、青色光用光センサー３６Ｂにより検出される青色光の光強度に基づく光量を測定する。また、温度測定部６５ｅは、光源温度検出部７３の励起用ＬＤ温度センサー６０Ｔにより検出される励起用レーザーダイオード６２の温度を測定するとともに、ＢＬＤ温度センサー５３Ｔにより検出される青色レーザーダイオード５９の温度を測定する。また、温度測定部６５ｅは、赤色光用の導光光学系３Ｒ及び反射型液晶パネル４Ｒを含む光学部材配置領域の温度として、パネル温度検出部７４のＲ光用パネル温度センサー３３ＲＴにより検出される赤色光用の反射型液晶パネル４Ｒの温度を測定する。また、温度測定部６５ｅは、青色光用の導光光学系３Ｂ及び反射型液晶パネル４Ｂを含む光学部材配置領域の温度として、パネル温度検出部７４のＢ光用パネル温度センサー３３ＢＴにより検出される青色光用の反射型液晶パネル４Ｂの温度を測定する。
【手続補正５】
【補正対象書類名】明細書
【補正対象項目名】００７２
【補正方法】変更
【補正の内容】
【００７２】
そして、温度測定部６５ｅにより、赤色光用の反射型液晶パネル４Ｒ、青色光用の反射型液晶パネル４Ｂ、励起用レーザーダイオード６２、及び青色レーザーダイオード５９の温度を測定する。これにより、ステップＳ１０６において、Ｒ光用パネル温度センサー３３ＲＴの温度センサー基準値ＲＰＡｒ、Ｂ光用パネル温度センサー３３ＢＴの温度センサー基準値ＢＰＡｒ、励起用ＬＤ温度センサー６０Ｔの温度センサー基準値ＹＬＳｒ、及びＢＬＤ温度センサー５３Ｔの温度センサー基準値ＢＬＳｒを取得する。取得した温度センサー基準値ＲＰＡｒ、ＢＰＡｒ、ＹＬＳｒ、ＢＬＳｒは、記憶部６５Ｂの不揮発性記憶領域に格納される。なお、励起用レーザーダイオード６２から射出された光は黄色光（Ｙ光）に変換されるものであり、以下では、励起用レーザーダイオード６２をＹ光源とも呼ぶ。また、青色レーザーダイオード５９は青色光（Ｂ光）を射出するものであるため、以下では、Ｂ光源とも呼ぶ。
【手続補正６】
【補正対象書類名】明細書
【補正対象項目名】００８０
【補正方法】変更
【補正の内容】
【００８０】
次に、ステップＳ２０６において、光源初期状態確認処理のステップＳ１０６と同様に、Ｒ光用パネル温度センサー３３ＲＴの温度センサー値ＲＰＡ、Ｂ光用パネル温度センサー３３ＢＴの温度センサー値ＢＰＡ、励起用ＬＤ温度センサー６０Ｔの温度センサー値ＹＬＳ、及びＢＬＤ温度センサー５３Ｔの温度センサー値ＢＬＳを取得する。取得した温度センサー値ＲＰＡ、ＢＰＡ、ＹＬＳ、ＢＬＳは、記憶部６５Ｂの不揮発性記憶領域に格納される。
【手続補正７】
【補正対象書類名】明細書
【補正対象項目名】００８５
【補正方法】変更
【補正の内容】
【００８５】
例えば、（ＲＳＥｒ／ＢＳＥｒ）＞（ＲＳＥ／ＢＳＥ）の場合、基準状態よりもＹ光が弱い状態あるいはＢ光が強い状態と考えられる。ここで、光源が劣化状態である場合に、光量を強める制御は、熱損質が増加する等によって装置の信頼性が悪化するリスクが高いため、光量を弱める制御を行なうことが望ましい。そこで、Ｙ光をそのまま維持すべくそのままのバランス制御値ＬＳＢ＿Ｙ（Ｔ）でＹ光源を制御するとともに、上記式（６）により求めたバランス制御値ＬＳＢ＿ＢでＢ光を弱めるようにＢ光源の制御を行なう。反対に、（ＲＳＥｒ／ＢＳＥｒ）＜（ＲＳＥ／ＢＳＥ）の場合には、Ｂ光をそのまま維持すべくそのままのバランス制御値ＬＳＢ＿Ｂ（Ｔ）でＢ光源を制御するとともに、上記式（５）により求めたバランス制御値ＬＳＢ＿ＹでＹ光を弱めるようにＹ光源の制御を行なう。なお、この制御は、明るさの設定値にバランス制御値を乗算した値を明るさの設定値として、駆動処理部６５ａにおいて駆動電流が導出されることによって実行される。
【手続補正８】
【補正対象書類名】明細書
【補正対象項目名】０１０４
【補正方法】変更
【補正の内容】
【０１０４】
（３）変形例３
上記実施形態では、光源状態確認において、緑色光用光センサー３６Ｇの測定値（光センサー値）は用いていないが、これに限定されるものではなく、赤色光用光センサー３６Ｒ及び青色光用光センサー３６Ｂの測定値に加えて、緑色光用光センサー３６Ｇの測定値を用いても良い。また、赤色光用光センサー３６Ｒの測定値に代えて、緑色光用光センサー３６Ｇの測定値を用いても良い。
【手続補正９】
【補正対象書類名】明細書
【補正対象項目名】０１０６
【補正方法】変更
【補正の内容】
【０１０６】
（５）変形例５
また、Ｒ光用パネル温度センサー３３ＲＴ及びＢ光用パネル温度センサー３３ＢＴの配置は図１の位置に限定するものではなく、導光光学系および反射型液晶装置の温度状態を把握することができる場所であればよい。
【手続補正１０】
【補正対象書類名】明細書
【補正対象項目名】０１１７
【補正方法】変更
【補正の内容】
【０１１７】
３Ｒ、３Ｇ、３Ｂ  導光光学系  ４Ｒ、４Ｇ、４Ｂ  反射型液晶パネル（光変調部、画像光射出部）  ５  クロスダイクロイックプリズム  ６  投写光学系  ９  第１レンズアレイ  １０  第２レンズアレイ  １１  偏光変換素子  １２  重畳レンズ  ２５  ダイクロイックミラー  ２６、２７、２８  偏光ビームスプリッター（偏光分離素子）  ３２Ｒ、３２Ｇ、３２Ｂ  集光レンズ  ３３ＲＴ  Ｒ光用パネル温度センサー  ３３ＢＴ  Ｂ光用パネル温度センサー  ３４Ｒ、３４Ｇ、３４Ｂ  偏光板  ３６Ｒ  赤色光用光センサー  ３６Ｇ  緑色光用光センサー  ３６Ｂ  青色光用光センサー  ３７  第１の絞り（入射角制限部材）  ３８  第２の絞り（入射角制限部材）  ５０、５０ｂ  プロジェクター  ５１  青色光用照明装置  ５２  黄色光用照明装置  ５３  青色レーザーダイオードアレイ  ５３Ｔ  ＢＬＤ温度センサー  ５４  平行化レンズ  ５５  集光レンズ  ５６  拡散板  ５７  ピックアップレンズ  ５８  平行化レンズ  ５９  青色レーザーダイオード  ６０Ｔ  励起用ＬＤ温度センサー  ６１  蛍光体基板  ６２  励起用レーザーダイオード  ６３  制御部  ６４  画像処理部  ６５Ａ  駆動制御部  ６５Ｂ  記憶部  ６５ａ  駆動処理部  ６５ｂ  電流／光量特性導出部  ６５ｃ  光源確認部  ６５ｄ  光量測定部  ６５ｅ  温度測定部  ６５ｆ  電流／光量特性ＬＵＴ  ６５ｇ  Ｄｕｔｙ／光量特性ＬＵＴ  ６６  液晶駆動部  ６７  ＰＷＭ信号生成部  ６８  励起用レーザーダイオード駆動部  ６９  青色レーザーダイオード駆動部  ７１  光源  ７２  光検出部  ７３  光源温度検出部  ７４  パネル温度検出部